(57)【要約】【課題】車両のハンドルに容易に取り付けることができるハンドルカバーを提供する。【解決手段】ハンドルカバー１は、ハンドル２のリム部３を覆うカバー本体20と、このカバー本体20をリム部３に取り付けるためのスライドファスナー21，22，23，24とを備える。スライドファスナー21，22，23，24は、一方側係合体と、他方側係合体と、スライダーとを有する。【選択図】図１
2019218034.tif 000002
【特許請求の範囲】
【請求項１】
車両のハンドルに取り付けられるハンドルカバーであって、
前記ハンドルのリム部を覆うカバー本体と、
このカバー本体を前記リム部に取り付けるためのスライドファスナーと
を備えることを特徴とするハンドルカバー。
【請求項２】
カバー本体は、一方側端部及び他方側端部が互いに対向するようにハンドルのリム部に取り付けられるものであり、
スライドファスナーは、
前記一方側端部に設けられ、一方側係合部を有する一方側係合体と、
前記他方側端部に設けられ、他方側係合部を有する他方側係合体と、
閉方向への移動により前記一方側係合部と前記他方側係合部とを互いに係合させ、開方向への移動により前記一方側係合部と前記他方側係合部との係合を解除するスライダーとを有する
ことを特徴とする請求項１記載のハンドルカバー。
【請求項３】
車両のハンドルは、収納空間を有する本体部を備え、
スライドファスナーは、前記収納空間に収納される延長ファスナー部を有する
ことを特徴とする請求項１または２記載のハンドルカバー。
【請求項４】
車両のハンドルの本体部は、着脱可能なカバー部材を有し、
前記カバー部材が取り付けられることにより、スライドファスナーの延長ファスナー部が収納空間に収納された状態で前記カバー部材によって覆い隠されるとともに、カバー本体の一部が前記カバー部材と前記ハンドルのリム部とで挟持される
ことを特徴とする請求項３記載のハンドルカバー。
【請求項５】
スライドファスナーは、スライダーを移動操作するための操作紐を有する
ことを特徴とする請求項１ないし４のいずれか一記載のハンドルカバー。
【請求項６】
スライドファスナーは、カバー本体に互いに間隔をおいて複数設けられている
ことを特徴とする請求項１ないし５のいずれか一記載のハンドルカバー。
【発明の詳細な説明】
【技術分野】
【０００１】
本発明は、車両のハンドルに取り付けられるハンドルカバーに関するものである。
【背景技術】
【０００２】
従来、例えば下記の特許文献１に記載されたハンドルカバー（ステアリングホイールカバー）が知られている。
【０００３】
この従来のハンドルカバーは、例えば車両のハンドルのリム部に端縁同士が対向するように取り付けられるものであって、前記端縁のそれぞれには所定の間隔で連続して穴部が形成されており、前記端縁の一方と他方の前記穴部に紐体が通されることにより前記ハンドルのリム部に締め付けられ、この締付け状態において前記一方の端縁と他方の端縁との間には所定の空間が形成される。
【先行技術文献】
【特許文献】
【０００４】
【特許文献１】特開２０１７−１６５２８６号公報
【発明の概要】
【発明が解決しようとする課題】
【０００５】
しかしながら、上記従来のハンドルカバーでは、当該ハンドルカバーを車両のハンドルに取り付ける際に、両端縁同士を突き合わせ、その各穴部に挿通された紐体によってそれら両端縁間を靴紐のように交差して編み上げるといった面倒な作業が必要であるから、車両のハンドルへの取り付けが容易でないという問題がある。
【０００６】
本発明は、このような点に鑑みなされたもので、車両のハンドルに容易に取り付けることができるハンドルカバーを提供することを目的とする。
【課題を解決するための手段】
【０００７】
本発明に係るハンドルカバーは、車両のハンドルに取り付けられるハンドルカバーであって、前記ハンドルのリム部を覆うカバー本体と、このカバー本体を前記リム部に取り付けるためのスライドファスナーとを備えるものである。
【発明の効果】
【０００８】
本発明によれば、ハンドルカバーを車両のハンドルに容易に取り付けることができる。
【図面の簡単な説明】
【０００９】
【図１】本発明の一実施の形態に係るハンドルカバーをハンドルに取り付けた状態の正面図である。
【図２】同上ハンドルカバーの正面図（ファスナー閉状態時）である。
【図３】同上ハンドルカバーの正面図（ファスナー開状態時）である。
【図４】図２におけるＡ−Ａ断面図である。
【図５】図２におけるＢ−Ｂ断面図である。
【図６】同上ハンドルカバーを取り付ける前のハンドルの部分正面図である。
【図７】同上ハンドルカバーを取り付けた後のハンドルの部分正面図である。
【発明を実施するための形態】
【００１０】
本発明の一実施の形態について図１ないし図７を参照して説明する。
【００１１】
図中の１はハンドルカバーで、このハンドルカバー１は、車両である自動車のハンドル２に後付けにより脱着可能に取り付けられるものである。つまり、このハンドルカバー１は、円形状の自動車用ハンドル２に固定的に取り付けられて使用されるものである。
【００１２】
ハンドル２は、自動車のステアリング機構を操作するための回転可能な部品（ステアリングホイール）であって、図１、図６及び図７に示すように、運転手である操作者が把持する円環状の把持部であるリム部３と、このリム部３に複数箇所（例えば４箇所）で連結され、ハンドル２の中心側に位置する本体部４とを備えており、この本体部４は所定の大きさの収納空間（内部空間）６を左右両側の内部に有している。
【００１３】
本体部４は、複数、すなわち例えば４つの連結部分であるスポーク部分10でリム部３に連結されてこのリム部３の内方側（ハンドルの中心側）に位置する本体部材11と、この本体部材11にねじ等の取付具により着脱可能に取り付けられた左右１対のカバー部材12と、これら両カバー部材12間に位置するように本体部材11に装着されたエアバック13とを有している。
【００１４】
本体部材11は、図示しないが、ハンドル２の中心部に位置するシャフト連結部分を有し、このシャフト連結部分にステアリングシャフトが連結されている。なお、図１に図示した左右のカバー部材12は、カーナビ等の機器を操作するための操作スイッチを有しないものであるが、これに代えて、そのような操作スイッチを有したカバー部材を用いる場合もある。
【００１５】
リム部３は、本体部４のカバー部材12の下端部12aによって覆われる凹状の被覆部分15を前側下部の左右２箇所に有し、この各被覆部分15に本体部材11のスポーク部分10が連結されている。
【００１６】
被覆部分15には、カバー部材12の位置決め用の挿入軸（図示せず）が挿脱可能に挿入される軸用孔16が形成されている。また、被覆部分15と本体部材11のスポーク部分10との間には、隙間17が形成されている（図６参照）。なお、リム部３の被覆部分15は、内方に向かって突出する突出部15aを有し、この突出部15aが本体部材11のスポーク部分10に固着されている。
【００１７】
ハンドルカバー（ステアリングホイールカバー）１は、図２ないし図５にも示すように、ハンドル２のリム部３を覆う円環状のカバー本体20と、このカバー本体20に設けられ当該カバー本体20をハンドル２のリム部３に固定的に取り付けるための長手状の複数、すなわち例えば４つのスライドファスナーである第１ないし第４ファスナー21，22，23，24とを備えている。
【００１８】
カバー本体20は、一方側端部（幅方向一端部である短手方向一端部）及び他方側端部（幅方向他端部である短手方向他端部）が互いに対向するようにハンドル２のリム部３に取り付けられて、このリム部３の表面を覆う被覆手段である。一方、第１ないし第４ファスナー21，22，23，24は、カバー本体20をハンドル２のリム部３にこのリム部３に対して締め付け状態（リム部３の表面とカバー本体20の裏面との間に隙間がない密着状態）となるように固定的に取り付けるための固定手段（取付手段）であり、かつ、リム部３のうちカバー本体20にて覆われない内周側の表面である内側面を覆う被覆手段でもある。
【００１９】
なお、４つのファスナー21，22，23，24（いずれもオープンタイプのスライドファスナー）は、ハンドル２のスポーク部分10に対応する位置で互いに間隔をおいてカバー本体20の長手方向（周方向）に並んで位置するように、カバー本体20の内周側に設けられている。つまり、第１ファスナー21はカバー本体20の上側部分の内周側に設けられ、第２ないし第４ファスナー22，23，24はカバー本体20の下側部分の内周側に周方向に沿って並設されている。
【００２０】
ここで、カバー本体20は、図３に示されるように、このカバー本体20の周方向に間隔をおいて並びかつ内方に向かって開口する４つの長手状開口部である第１ないし第４長手状開口部26，27，28，29と、これら隣り合う両長手状開口部間に位置する４つのスポーク部分用開口部である第１ないし第４開口部31，32，33，34とを有している。
【００２１】
そして、第１長手状開口部26は第１ファスナー21によって開閉可能であり、第２長手状開口部27は第２ファスナー22によって開閉可能であり、第３長手状開口部28は第３ファスナー23によって開閉可能であり、第４長手状開口部29は第４ファスナー24によって開閉可能である。
【００２２】
また、各開口部31，32，33，34は、カバー本体20がリム部３に装着されることで、対応するスポーク部分10が挿通された状態となる。なお、下側の２つの開口部32，33は、正面視で四角形状をなす前面側の開口32a，33aを有しており、この開口32a，33aによってリム部３の被覆部分15の軸用孔16が前方へ露出する。
【００２３】
また、カバー本体20は、例えば径方向外方へ弾性変形可能な可撓性を有する展開状態で略矩形状をなすシート状の素材（例えば天然皮革や合成皮革等の皮革）によって、ハンドル２のリム部３に対応した円環状の形状に形成されたものである。
【００２４】
このカバー本体20の長手方向（周方向）の寸法はリム部３の周方向の寸法と同じ長さ（略同じ長さを含む）であるが、カバー本体20の短手方向の寸法はリム部３の断面形状の全周の寸法よりも少し小さい。ただし、リム部３のうちカバー本体20によって覆われない内周側の部分は、スライドファスナー21，22，23，24によって覆われるため、ハンドル２のリム部３の全体（表面全部）がハンドルカバー１によって覆われることになる。
【００２５】
第１ファスナー21は、カバー本体20の第１長手状開口部26に臨む一方側端部にその全長にわたって縫い付けにより設けられ、多数のエレメントからなる一方側係合部41aを有する一方側係合体41と、カバー本体20の第１長手状開口部26に臨む他方側端部にその全長にわたって縫い付けにより設けられ、多数のエレメントからなる他方側係合部42aを有する他方側係合体42と、閉方向（時計回りの方向）への移動により一方側係合部41aと他方側係合部42aとを互いに係合（噛合）させ、開方向（反時計回りの方向）への移動により一方側係合部41aと他方側係合部42aとの係合（噛合）を解除する移動可能な移動体であるスライダー43とを有している。
【００２６】
なお、スライダー43には、このスライダー43を移動操作するための操作紐45が着脱可能に取り付けられている（図２参照）。この操作紐45は、スライダー43を全閉位置まで移動させることで第１ファスナー21を閉状態にした後、スライダー43から取り外す。
【００２７】
また、第１ファスナー21は、蝶棒、箱棒及び箱からなる開手段46を始端部（スライダーを閉方向へ移動させる際の始端側の端部、以下同様）に有し、かつ、２つの止め具からなる止め手段47を終端部（スライダーを閉方向へ移動させる際の終端側の端部、以下同様）に有している。
【００２８】
なお、この図示した第１ファスナー21の係合体41，42の長手方向の寸法（布製のテープの長さ寸法）は、カバー本体20の第１長手状開口部26の長手方向の寸法と同じ長さ（略同じ長さを含む）であるが、この構成には限定されず、例えば図示しないが、長手状の係合体41，42の終端側（閉方向後端側）を少し延ばして縫着した後にその終端部を折り返してカバー本体20の裏側（内側）に隠した構成等でもよい。
【００２９】
第２ファスナー22は、カバー本体20の第２長手状開口部27に臨む一方側端部にその全長にわたって縫い付けにより設けられ、多数のエレメントからなる一方側係合部51aを有する一方側係合体51と、カバー本体20の第２長手状開口部27に臨む他方側端部にその全長にわたって縫い付けにより設けられ、多数のエレメントからなる他方側係合部52aを有する他方側係合体52と、閉方向（反時計回りの方向）への移動により一方側係合部51aと他方側係合部52aとを互いに係合（噛合）させ、開方向（時計回りの方向）への移動により一方側係合部51aと他方側係合部52aとの係合（噛合）を解除する移動可能な移動体であるスライダー53とを有している。なお、スライダー53には、このスライダー53を移動操作するための引き手54が回動可能に設けられている。
【００３０】
また、第２ファスナー22は、蝶棒、箱棒及び箱からなる開手段56を始端部に有し、かつ、２つの止め具からなる止め手段57を終端部に有している。そして、第２ファスナー22は、ハンドル２の本体部４の左側の収納空間６に収納される延長ファスナー部58を終端側に有している。つまり、第２ファスナー22の閉状態時には、この第２ファスナー22の終端側は、カバー本体20から径方向内方に向かって延在する突出状の延長ファスナー部（スライダー53、引き手54及び止め手段57を含む延長終端側部分）58となり、この延長ファスナー部58がハンドル２の本体部４内に収納される（図１参照）。
【００３１】
第３ファスナー23は、カバー本体20の第３長手状開口部28に臨む一方側端部にその全長にわたって縫い付けにより設けられ、多数のエレメントからなる一方側係合部61aを有する一方側係合体61と、カバー本体20の第３長手状開口部28に臨む他方側端部にその全長にわたって縫い付けにより設けられ、多数のエレメントからなる他方側係合部62aを有する他方側係合体62と、閉方向（時計回りの方向）への移動により一方側係合部61aと他方側係合部62aとを互いに係合（噛合）させ、開方向（反時計回りの方向）への移動により一方側係合部61aと他方側係合部62aとの係合（噛合）を解除する移動可能な移動体であるスライダー63とを有している。なお、スライダー63には、このスライダー63を移動操作するための引き手64が回動可能に設けられている。
【００３２】
また、第３ファスナー23は、蝶棒、箱棒及び箱からなる開手段66を始端部に有し、かつ、２つの止め具からなる止め手段67を終端部に有している。そして、第３ファスナー23は、ハンドル２の本体部４の左側の収納空間６に収納される延長ファスナー部68を終端側に有し、かつ、ハンドル２の本体部４の右側の収納空間６に収納される延長ファスナー部69を始端側に有している。つまり、第３ファスナー23の閉状態時には、この第３ファスナー23の終端側は、カバー本体20から径方向内方に向かって延在する突出状の延長ファスナー部（スライダー63、引き手64及び止め手段67を含む延長終端側部分）68となり、かつ、第３ファスナー23の始端側は、カバー本体20から径方向内方に向かって延在する突出状の延長ファスナー部（開手段66を含む延長始端側部分）69となり、これら２つの両延長ファスナー部68，69がいずれもハンドル２の本体部４内に収納される。
【００３３】
第４ファスナー24は、カバー本体20の第４長手状開口部29に臨む一方側端部にその全長にわたって縫い付けにより設けられ、多数のエレメントからなる一方側係合部71aを有する一方側係合体71と、カバー本体20の第４長手状開口部に臨む他方側端部にその全長にわたって縫い付けにより設けられ、多数のエレメントからなる他方側係合部72aを有する他方側係合体72と、閉方向（時計回りの方向）への移動により一方側係合部71aと他方側係合部72aとを互いに係合（噛合）させ、開方向（反時計回りの方向）への移動により一方側係合部71aと他方側係合部72aとの係合（噛合）を解除する移動可能な移動体であるスライダー73とを有している。なお、スライダー73には、このスライダー73を移動操作するための引き手74が回動可能に設けられている。
【００３４】
また、第４ファスナー24は、蝶棒、箱棒及び箱からなる開手段76を始端部に有し、かつ、２つの止め具からなる止め手段77を終端部に有している。そして、第４ファスナー24は、ハンドル２の本体部４の右側の収納空間６に収納される延長ファスナー部78を終端側に有している。つまり、第４ファスナー24の閉状態時には、この第４ファスナー24の終端側は、カバー本体20から径方向内方に向かって延在する突出状の延長ファスナー部（スライダー73、引き手74及び止め手段77を含む延長終端側部分）78となり、この延長ファスナー部78がハンドル２の本体部４内に収納される。
【００３５】
なお、下側の３つのファスナー22，23，24は、ともに同じ長さ（略同じ長さを含む）のオープン型の線ファスナーであるが、上側のファスナー21は、３つのファスナー22，23，24よりも長いオープン型の線ファスナーである。
【００３６】
次に、ハンドルカバー１の作用等を説明する。
【００３７】
自動車のハンドル２にハンドルカバー１を装着するに際し、まず、ハンドル２の本体部４の両カバー部材12を本体部材11から取り外す。すると、本体部４の収納空間６が開口した状態となる（図６参照）。
【００３８】
その後、図３の如く、４つの第１ないし第４ファスナー21，22，23，24をすべて開状態にして、カバー本体20の４つの長手状開口部26，27，28，29をすべて開口させる。
【００３９】
次いで、カバー本体20を径方向外方に向けて拡径変形するように一旦弾性変形させることで、この環状のカバー本体20をハンドル２のリム部３に嵌装する。
【００４０】
続いて、ファスナー手段である４つの第１ないし第４ファスナー21，22，23，24をすべて閉状態にして、カバー本体20の４つの長手状開口部26，27，28，29をすべて閉鎖する。
【００４１】
具体的には、第１ファスナー21は、操作紐45を利用してスライダー43を終端部の全閉位置までスライド移動させ、かつ、第２ないし第４ファスナー22，23，24は、引き手54，64，74を利用してスライダー53，63，73を終端部の全閉位置までスライド移動させる。
【００４２】
これにより、カバー本体20は、閉状態の４つの第１ないし第４ファスナー21，22，23，24によって、ハンドル２のリム部３に対して締め付け固定状態となって取り付けられ、その結果、リム部３の全体がカバー本体20及びスライドファスナー21，22，23，24で覆われる。つまり、位置ズレしないようにリム部３に対して強固に固定されたハンドルカバー１によって、ハンドル２のリム部３が周方向全長でかつ断面形状の全周にわたって覆われる。
【００４３】
その後、第１ファスナー21の操作紐45をスライダー43から取り外す。また、第２ないし第４ファスナー22，23，24の各延長ファスナー部58，68，69，78を、ハンドル２の本体部４の収納空間６に収納する。
【００４４】
具体的には、第２ファスナー22の延長ファスナー部58及び第３ファスナー23の延長ファスナー部68を左側の開口した一方側の収納空間６に収納し（図７参照）、また同様に、第３ファスナー22の延長ファスナー部69及び第４ファスナー23の延長ファスナー部78を右側の開口した他方側の収納空間６に収納する。
【００４５】
このとき、リム部３の被覆部分15と本体部材11のスポーク部分10との間の隙間17に第２ないし第４ファスナー22，23，24の一部分を挿入するようにして、各延長ファスナー部58，68，69，78を本体部材11の収納空間６へ導いて収納する。
【００４６】
その後、ハンドル２の本体部４の両カバー部材12をねじ等の取付具を用いて本体部材11に固定的に取り付けると、各延長ファスナー部58，68，69，78が本体部材11の収納空間６に収納された状態でカバー部材12によって完全に見えないように覆い隠されるとともに、カバー本体20の一部である被挟持部20aがカバー部材12の下端部12aとハンドル２のリム部３の被覆部分15とで挟持固定される。
【００４７】
このカバー本体20の被挟持部20aは、カバー本体20のうち、延長ファスナー部58，68，69，78の近傍に位置する部分であって、下側の開口部32，33の開口32a，33aの周囲部分である。そして、この被挟持部20aがカバー部材12の下端部12aによってリム部３の被覆部分15に押え付けられる。
【００４８】
そして、ハンドルカバー１によれば、カバー本体20をハンドル２のリム部３に取り付けるためのスライドファスナーである第１ないし第４ファスナー21，22，23，24を備えるため、紐体を用いてカバー本体の両端縁間を編み上げるといった従来の取付作業が不要であり、よって、ハンドルカバー１をハンドル２に容易に取り付けることができ、しかも、第１ないし第４ファスナー21，22，23，24でカバー本体20をリム部３に締め付け状態として密着状に固定できるため、取付後の位置ズレも生じない。
【００４９】
また、円環状のカバー本体20とこのカバー本体20の内周側に設けた第１ないし第４ファスナー21，22，23，24とによって、ハンドル２のリム部３の表面全体を適切に覆うことができ、意匠性も良好である。
【００５０】
さらに、ハンドル２の本体部４は本体部材11に対して着脱可能なカバー部材12を有し、このカバー部材12を本体部材11に取り付けると、第２ないし第４ファスナー22，23，24の延長ファスナー部58，68，69，78が収納空間６に収納された状態でカバー部材12によって覆い隠されるとともに、カバー本体20の被挟持部20aがカバー部材12とリム部３の被覆部分15とで挟持されるため、意匠性が良好であり、かつ、取付後におけるカバー部材12の位置ズレを効果的に防止できる。
【００５１】
また、第１ファスナー21は、スライダー43を移動操作するための着脱可能な操作紐45を有するため、取付作業がより一層容易であり、しかも、取付後には操作紐45をスライダー43から取り外すことができるため、意匠性も良好である。
【００５２】
なお、上記実施の形態では、カバー本体が円環状である場合について説明したが、カバー体の形状は、周方向に連続した円環状には限定されず、例えば周方向一部が切り欠かれた略円環状（例えば第３ファスナーに対応する下側部分がない形状）や、非円形の環状（略環状を含む）等でもよい。
【００５３】
また、シート状のカバー本体の素材（シート部材の材質）は、車内の意匠性の観点から天然皮革や合成皮革等の皮革が好ましいが、これには限定されず、例えば織物、編み物、不織布、フェルト等の布のほか、軟らかい弾性変形可能なゴムや合成樹脂等でもよい。
【００５４】
さらに、第２ないし第４ファスナーは、スライダーを移動操作するための回動可能な引き手を有した構成には限定されず、例えば第１ファスナーの如く操作紐を有した構成でもよい。また、第１ファスナーが引き手を有した構成でもよい。
【００５５】
また、カバー体の内周側に周方向に並んで位置するようにスライドファスナーが互いに間隔をおいて複数設けられた構成には限定されず、例えばスライドファスナーがカバー体の外周側に設けられた構成でもよく、またスライドファスナーの数も任意であり、単数でも複数でもよい。
【００５６】
さらに、複数のスライドファスナーのうち一部のスライドファスナー（例えば第２ないし４ファスナー）が延長ファスナー部（内方側へ延在するファスナー部分）を有しかつ他部のスライドファスナー（例えば第１ファスナー）が延長ファスナー部を有しない構成には限定されず、例えば複数のスライドファスナーのすべてが延長ファスナー部を有した構成や、逆にすべてが延長ファスナー部を有しない構成等でもよい。
【符号の説明】
【００５７】
１    ハンドルカバー
２    ハンドル
３    リム部
４    本体部
６    収納空間
12    カバー部材
20    カバー本体
21    スライドファスナーである第１ファスナー
22    スライドファスナーである第２ファスナー
23    スライドファスナーである第３ファスナー
24    スライドファスナーである第４ファスナー
41，51，61，71    一方側係合体
41a，51a，61a，71a    一方側係合部
42，52，62，72    他方側係合体
42a，52a，62a，72a    他方側係合部
43，53，63，73    スライダー
45    操作紐
58，68，69，78    延長ファスナー部
【図１】
2019218034.tif 000003
【図２】
2019218034.tif 000004
【図３】
2019218034.tif 000005
【図４】
2019218034.tif 000006
【図５】
2019218034.tif 000007
【図６】
2019218034.tif 000008
【図７】
2019218034.tif 000009